【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
導電性ゲル、および、前記導電性ゲルを外部に設けられた電極に対して接触可能に保持する保持面を有し、前記電極に対して着脱可能に設けられるベース部材を備える電極用パッドを収容するパッド用トレイであって、
前記パッド用トレイは、
ベース部と、
前記ベース部の表面側が凹み、前記電極用パッドを収容する凹部領域と、を含み、
前記凹部領域は、
底部領域と、
前記底部領域から起立し、前記電極用パッドを囲むように設けられる側壁領域とを有し、
前記凹部領域は、
前記側壁領域から突出するように設けられ、前記凹部領域に前記電極用パッドが収容された状態で前記電極用パッドを前記底部領域に付勢する支持領域をさらに有する、パッド用トレイ。
【請求項２】
前記凹部領域は、
前記電極用パッドを収容した際に、前記保持面に当接し、前記保持面と前記底部領域との間に所定の間隙を形成する当接部をさらに含む、請求項１に記載のパッド用トレイ。
【請求項３】
前記電極は、円筒形状を有し、
前記電極用パッドは、一端側が開放した円筒形状を有するとともに、その内側に、前記電極の外周面に係合する凸部領域を有し、
前記支持領域は、前記凹部領域に前記電極用パッドを収容した場合に、円周上において前記凸部領域に対してずれた位置に設けられている、請求項２に記載のパッド用トレイ。
【請求項４】
前記電極用パッドを前記支持領域と前記底部領域とにより挟み込む力は、前記凸部領域が前記電極の外周面に係合する力よりも小さい、請求項３に記載のパッド用トレイ。
【請求項５】
前記電極を保持するベルト材をさらに備え、
前記電極は、前記ベルト材の上に所定の間隔で複数個配置され、
前記凹部領域は、前記間隔と等しい間隔で設けられている、請求項１から４のいずれか１項に記載のパッド用トレイ。
【請求項６】
前記ベルト材は、短辺と長辺とを有する長方形形状であり、
前記電極は、前記ベルト材の上に前記短辺方向に沿って、第１短辺間隔で複数個配置され、
前記凹部領域は、前記第１短辺間隔と等しい間隔で設けられている、請求項５に記載のパッド用トレイ。
【請求項７】
前記ベルト材は、短辺と長辺とを有する長方形形状であり、
前記電極は、前記ベルト材の上に前記長辺方向に沿って、第１長辺間隔で複数個配置され、
前記凹部領域は、前記第１長辺間隔と等しい間隔で設けられている、請求項５に記載のパッド用トレイ。
【請求項８】
前記ベルト材は、短辺と長辺とを有する長方形形状であり、
前記電極は、前記ベルト材の上に前記短辺方向に沿って、第１短辺間隔で複数個配置され、
前記電極は、前記ベルト材の上に前記長辺方向に沿って、第１長辺間隔で複数個配置され、
前記凹部領域は、前記短辺方向は前記第１短辺間隔と等しい間隔で設けられ、前記長辺方向は前記第１長辺間隔と等しい間隔で設けられている、請求項５に記載のパッド用トレイ。
【請求項９】
前記ベルト材は、短辺と長辺とを有する長方形形状であり、
前記電極は、前記ベルト材の上に前記長辺方向に沿って第１電極、第２電極、第３電極および第４電極の順番に配置され、
前記第１電極と前記第２電極との間は第１長辺間隔で配置され、
前記第２電極と前記第３電極との間は第２長辺間隔で配置され、
前記第３電極と前記第４電極との間は第３長辺間隔で配置され、
前記凹部領域は、
前記第１電極を収容する第１凹部領域と、
前記第２電極を収容する第２凹部領域と、
前記第３電極を収容する第３凹部領域と、
前記第４電極を収容する第４凹部領域とを有し、
前記ベース部の前記表面側において、前記長辺方向に沿って、前記第１凹部領域、前記第３凹部領域、前記第２凹部領域、および前記第４凹部領域の順に配置され、
前記第１凹部領域と前記第２凹部領域との間隔は前記第１長辺間隔に設けられ、
前記第３凹部領域と前記第４凹部領域との間隔は前記第３長辺間隔に設けられている、請求項５に記載のパッド用トレイ。
【請求項１０】
前記パッド用トレイは、板状の樹脂成形品である、請求項１から９のいずれか１項に記載のパッド用トレイ。
【請求項１１】
前記樹脂成形品には、ポリエチレンテレフタラート、ポリエチレン、ポリプロピレン、アクリロニトリル−ブタジエン−スチレン、およびポリスチレンからなる群より選択される樹脂材料が用いられている、請求項１０に記載のパッド用トレイ。
【請求項１２】
前記パッド用トレイの少なくとも前記凹部領域は、前記電極用パッドを前記凹部領域に収容した状態で、前記裏面側から前記電極用パッドの透視が可能に設けられている、請求項１から９のいずれか１項に記載のパッド用トレイ。
【請求項１３】
前記パッド用トレイの少なくとも前記凹部領域は、透光性を有する、請求項１２に記載のパッド用トレイ。
【手続補正２】
【補正対象書類名】明細書
【補正対象項目名】００２３
【補正方法】変更
【補正の内容】
【００２３】
他の形態においては、上記パッド用トレイの少なくとも上記凹部領域は、上記電極用パッドを上記凹部領域に収容した状態で、裏面側から上記電極用パッドの透視が可能に設けられている。
【手続補正３】
【補正対象書類名】明細書
【補正対象項目名】００５５
【補正方法】変更
【補正の内容】
【００５５】
上記のような式（１），（２），（３）の各々における係数は、たとえばＭＲＩ（Magnetic  Resonance  Imaging）による測定結果に基づく回帰式により定められる。また、式（１），（２），（３）の各々における係数は、年齢および／または性別ごとに定められてもよい。
【手続補正４】
【補正対象書類名】明細書
【補正対象項目名】０１０３
【補正方法】変更
【補正の内容】
【０１０３】
この腹部電極用パッド３００は、外径寸法（Ｗ１１）が約φ２６ｍｍ、導電性ゲル３１０を含む高さ（ｈ１）が約７ｍｍである。また、腹部電極用パッド３００の表面部分において、導電性ゲル３１０は、ベース部材３２０の縁部（Ｂ２で示す領域）が露出するようにベース部材３２０に保持されている。
【手続補正５】
【補正対象書類名】明細書
【補正対象項目名】０１１２
【補正方法】変更
【補正の内容】
【０１１２】
円筒形状体３２２の開放端側には、半径方向の内側に突出する凸部領域３２３が３箇所設けられている。この凸部領域３２３の突出長さ（ｂ）は、約０．５ｍｍである。また、ベース部材３２０の直径（Ｗ１１）は、上述したように約φ２６ｍｍ、ベース部材の高さ（ｈ２）は、約２ｍｍである。
【手続補正６】
【補正対象書類名】明細書
【補正対象項目名】０１１５
【補正方法】変更
【補正の内容】
【０１１５】
［パッド用トレイ１０００の詳細構造］
次に、図１５から図２１を参照して、上記構成を有する腹部電極用パッド３００を収容するパッド用トレイ１０００の詳細構造について説明する。なお、図１５は、腹部電極用パッド３００を収容するパッド用トレイ１０００の斜視図、図１６は、腹部電極用パッド３００を収容する凹部領域１２１１の部分拡大平面図、図１７は、図１６中ＸＶＩＩ−ＸＶＩＩ線矢視断面図、図１８は、パッド用トレイ１０００に腹部電極用パッド３００を収容した状態の斜視図、図１９は、腹部電極用パッド３００をパッド用トレイ１０００に収容した状態の部分拡大斜視図、図２０は、図１９中ＸＸ線矢視断面図、図２１は、図１９中ＸＸＩ線矢視断面図である。
【手続補正７】
【補正対象書類名】明細書
【補正対象項目名】０１１９
【補正方法】変更
【補正の内容】
【０１１９】
本実施の形態において、凹部領域１２１１〜１２１４、凹部領域１２２１〜１２２４に、腹部電極用パッド３００を収容した状態で、裏面側から腹部電極用パッド３００の視認が可能なように、パッド用トレイ１０００の少なくとも凹部領域１２１１〜１２１４、凹部領域１２２１〜１２２４が、透光性を有していると良い。なお、本実施の形態においては、パッド用トレイ１０００の全体が透光性を有している。図１６および図１７を参照して、凹部領域１２１１〜１２１４、凹部領域１２２１〜１２２４の形状について説明する。本実施の形態においては、凹部領域１２１１〜１２１４、凹部領域１２２１〜１２２４はすべて同一の形状を有していることから、凹部領域１２１１の形状について説明する。
【手続補正８】
【補正対象書類名】明細書
【補正対象項目名】０１２６
【補正方法】変更
【補正の内容】
【０１２６】
図１９および図２０を参照して、凹部領域１２１１の底部領域１１００の周縁部には、当接部１１１０が設けられている。この当接部１１１０は、図６に示す腹部電極用パッド３００の表面部分において、ベース部材３２０の縁部（Ｂ２で示す領域）が、導電性ゲル３１０から露出する領域に対応しており、側壁領域１４００に沿って環状に設けられている。
【手続補正９】
【補正対象書類名】明細書
【補正対象項目名】０１３８
【補正方法】変更
【補正の内容】
【０１３８】
（腹部電極用パッド３００の取付手順）
次に、図２３から図２７を参照して、腹部電極用パッド３００を収容するパッド用トレイ１０００を用いた腹部電極用パッド３００の腹部電極Ａ１１〜Ａ１４，Ａ２１〜Ａ２４への取付手順について説明する。
【手続補正１０】
【補正対象書類名】明細書
【補正対象項目名】０１３９
【補正方法】変更
【補正の内容】
【０１３９】
まず、図２３に示すように、パッド用トレイ１０００を裏返した状態で、凹部領域１２１１を腹部電極Ａ１１に覆い被せ、凹部領域１２１２を腹部電極Ａ１２に覆い被せ、凹部領域１２２１を腹部電極Ａ２１に覆い被せ、凹部領域１２２２を腹部電極Ａ２２に覆い被せる。その後、図２４に示すように、パッド用トレイ１０００を電極ベルト１００側に押さえ付ける。これにより、腹部電極Ａ１１，Ａ１２，Ａ２１，Ａ２２のそれぞれに腹部電極用パッド３００が装着される。
【手続補正１１】
【補正対象書類名】明細書
【補正対象項目名】０１４１
【補正方法】変更
【補正の内容】
【０１４１】
パッド用トレイ１０００を持ち上げる際には、滑り止め用の凹凸領域１１０２ｔが設けられた第２浅瀬領域１１０２を裏面側から押さえ付ける。これにより、凸部領域３２３の腹部電極Ａ２２への係合状態が維持されたまま、パッド用トレイ１０００の支持領域１４１０の周りが外側に向けて変形し、容易にパッド用トレイ１０００の支持領域１４１０と腹部電極用パッド３００の係合領域３２２ｂとの間の係合関係を解除することが可能となる。また、第２浅瀬領域１１０２には、導電性ゲル３１０は存在しないため、導電性ゲル３１０を崩壊させることはない。
【手続補正１２】
【補正対象書類名】明細書
【補正対象項目名】０１４３
【補正方法】変更
【補正の内容】
【０１４３】
以上により、図２４に示すように、腹部電極用パッド３００の腹部電極Ａ１１，Ａ１２，Ａ２１，Ａ２２への装着が完了する。
【手続補正１３】
【補正対象書類名】明細書
【補正対象項目名】０１４４
【補正方法】変更
【補正の内容】
【０１４４】
次に、図２５に示すように、上記と同様の要領により、パッド用トレイ１０００を裏返した状態で、凹部領域１２１３を腹部電極Ａ１３に覆い被せ、凹部領域１２１４を腹部電極Ａ１４に覆い被せ、凹部領域１２２３を腹部電極Ａ２３に覆い被せ、凹部領域１２２４を腹部電極Ａ２４に覆い被せる。その後、図２６に示すように、パッド用トレイ１０００を電極ベルト１００側に押さえ付ける。これにより、腹部電極Ａ１３，Ａ１４，Ａ２３，Ａ２４のそれぞれに腹部電極用パッド３００が装着される。
【手続補正１４】
【補正対象書類名】明細書
【補正対象項目名】０１４５
【補正方法】変更
【補正の内容】
【０１４５】
以上の手順により、図２７に示すように、腹部電極Ａ１１〜Ａ１４および腹部電極Ａ２１〜Ａ２４のそれぞれへの腹部電極用パッド３００の装着が完了する。
【手続補正１５】
【補正対象書類名】明細書
【補正対象項目名】０１４８
【補正方法】変更
【補正の内容】
【０１４８】
なお、必ずしも、一つのパッド用トレイに全ての腹部電極に装着するための腹部電極用パッド３００を収容する凹部領域を設ける必要なく、図２２に示したパッド用トレイ１０００において、凹部領域１２１１、１２１３，１３１２，１２１４のみを一つのパッド用トレイに設けることも可能である。
【手続補正１６】
【補正対象書類名】明細書
【補正対象項目名】０１４９
【補正方法】変更
【補正の内容】
【０１４９】
また、図２８に示すパッド用トレイ１０００Ａに示すように、一つのパッド用トレイに二つの凹部領域を設ける構成を採用することも可能である。また、二つの腹部電極用パッド３００を連結する連結部材３２０ｚを設けることで、腹部電極から腹部電極用パッド３００を取り外す際に、連結部材３２０ｚを持ち上げることで、同時に二つの腹部電極用パッド３００を取り外すことが可能となる。
【手続補正１７】
【補正対象書類名】明細書
【補正対象項目名】０１５７
【補正方法】変更
【補正の内容】
【０１５７】
図３０から図３２を参照して、この上肢・下肢電極用パッド５００は、長方形の導電性ゲル５１０と、この導電性ゲル５１０を上肢・下肢電極４０４に対して電気的に接触可能に保持するとともに、上肢・下肢電極４０４に対して着脱可能に設けられる、略矩形形状のベース部材５２０とを備えている。ベース部材５２０には、ポリプロピレン系樹脂材料、ＡＢＳ樹脂等が用いられる。導電性ゲル５１０には、アクリル系高分子ゲル、ウレタン系ゲル等が用いられる。
【手続補正１８】
【補正対象書類名】明細書
【補正対象項目名】０１５８
【補正方法】変更
【補正の内容】
【０１５８】
この上肢・下肢電極用パッド５００は、最大長さ（Ｗ２１）が約７７ｍｍ、最大幅（Ｗ２２）が約３８ｍｍ、導電性ゲル５１０を含む高さ（ｈ２１）が約９ｍｍである。また、上肢・下肢電極用パッド５００の表面部分において、導電性ゲル５１０は、ベース部材５２０の縁部（Ｂ１２，Ｂ２２で示す領域）が露出するようにベース部材５２０に保持されている。
【手続補正１９】
【補正対象書類名】明細書
【補正対象項目名】０１５９
【補正方法】変更
【補正の内容】
【０１５９】
図３０において、導電性ゲル５１０が設けられる領域（Ｂ１１，Ｂ１２で示す領域）はＢ１１が約７３ｍｍ、Ｂ２１が約３０ｍｍ、露出する縁部（Ｂ１２，Ｂ２２で示す領域）は、Ｂ１２およびＢ２２ともに、約２ｍｍである。これにより、上肢・下肢電極用パッド５００を把持した際に、導電性ゲル５１０が指先に接触するのを防ぐことができる。
【手続補正２０】
【補正対象書類名】明細書
【補正対象項目名】０１７９
【補正方法】変更
【補正の内容】
【０１７９】
凹部領域２０１２と凹部領域２０１２との間、および、凹部領域２０１１の端部には、仕切壁２５００が設けられている。
【手続補正２１】
【補正対象書類名】明細書
【補正対象項目名】０１８０
【補正方法】変更
【補正の内容】
【０１８０】
図３８および図３９を参照して、凹部領域２０１２の底部領域２１００の側壁領域２４００の略中央部には、当接部２１１０が設けられている。この当接部２１１０は、図３３に示す上肢・下肢電極用パッド５００の表面部分において、ベース部材５２０の縁部（Ｂ２２で示す領域）が、導電性ゲル５１０から露出する領域に対応している。
【手続補正２２】
【補正対象書類名】明細書
【補正対象項目名】０１８１
【補正方法】変更
【補正の内容】
【０１８１】
図３８に示すように、凹部領域２０１２に上肢・下肢電極用パッド５００を収容した状態では、上肢・下肢電極用パッド５００のベース部材５２０の縁部が当接部２１１０に載置される状態となる。その結果、上肢・下肢電極用パッド５００の保持面５２１と底部領域２１００との間に所定の間隙（Ｓ）が形成されることなる。これにより、保持面５２１の表面側および裏面側に導電性ゲル５１０を流し込むことが可能となる。
【手続補正２３】
【補正対象書類名】明細書
【補正対象項目名】０１８２
【補正方法】変更
【補正の内容】
【０１８２】
また、ゲル規制壁２３００よりも外側の側壁領域２４００の内側には、底部領域２１００から所定距離離れた位置に支持領域２４１０が設けられている。
【手続補正２４】
【補正対象書類名】明細書
【補正対象項目名】０１８３
【補正方法】変更
【補正の内容】
【０１８３】
図３９に示すように、本実施の形態において、支持領域２４１０は、側壁領域１４００から内周側に向かって突出するように成形された凸部であり、側壁領域２４００の両端にそれぞれ１箇所、一つの凹部領域２０１２において合計４箇所設けられている。
【手続補正２５】
【補正対象書類名】明細書
【補正対象項目名】０１８４
【補正方法】変更
【補正の内容】
【０１８４】
支持領域２４１０は、凹部領域２０１２に上肢・下肢電極用パッド５００を収容する際に保持面５２１の端部に押されて弾性変形する。その後、凹部領域２０１２に上肢・下肢電極用パッド５００の収容が完了することで弾性変形が解除されるとともに、支持領域２４１０が、上肢・下肢電極用パッド５００の保持面５２１を底部領域２１００側に付勢する。
【手続補正２６】
【補正対象書類名】明細書
【補正対象項目名】０１８５
【補正方法】変更
【補正の内容】
【０１８５】
これにより、上肢・下肢電極用パッド５００を凹部領域２０１２に収容した状態を安定させることが可能となる。また、上肢・下肢電極用パッド５００の保持面５２１と底部領域２１００との間隙（Ｓ）への導電性ゲル５１０の流し込み時に、保持面５２１の浮き上がりを防止することも可能となる。
【手続補正２７】
【補正対象書類名】明細書
【補正対象項目名】０１９２
【補正方法】変更
【補正の内容】
【０１９２】
１  体脂肪測定装置、１０  制御部、１１  演算処理部、１２  インピーダンス算出部、１３  各種脂肪量算出部、１４  体脂肪量算出部、１５  部位別脂肪量算出部、１６  内臓脂肪量算出部、１７  皮下脂肪量算出部、２１  定電流生成部、２２  端子切替部、２３  電位差検出部、２４  体格情報計測部、２５  被験者情報入力部、２６  表示部、２７  操作部、２８  電源部、２９  メモリ部、３２０，５２０  ベース部材、１００  電極ベルト、１０１  ベルト材、１０１ａ  短辺、１０１ｂ  長辺、２００  腹部電極、２０１  円筒電極部、２０２  溝凹部、３００  腹部電極用パッド、３１０，５１０  導電性ゲル、３２０ｚ  連結部材、３２１，５２１  保持面、３２１ａ，５２１ａ  開口部、３２１ｐ，５２１ｐ  突起部、３２２  円筒形状体、３２２ａ  スリット、３２２ｂ，５２２  係合領域、３２３  凸部領域、３２４  指掛かり部、４００  手足クリップ、４０１  第１挟持クリップ、４０２  第２挟持クリップ、４０３  弾性クリップ、４０４  上肢・下肢電極、５００  下肢電極用パッド、５２１ｘ  凸部壁、５２２ａ  腕部、５２２ｂ  係合片、５２２ｄ，１１１０，２１１０  当接部、５２２ｘ  係合穴、５２２ｙ  薄肉部、５２２ｚ  厚肉部、１０００，１０００Ａ，２０００  パッド用トレイ、１０００Ｂ，２０００Ｂ  ベース部、１１００，２１００  底部領域、１１０１  第１浅瀬領域、１１０２  第２浅瀬領域、１１０２ｔ  凹凸領域、１２１１，１２２１  凹部領域（第１凹部領域）、１２１２，１２２２  凹部領域（第２凹部領域）、１２１３，１２２３  凹部領域（第３凹部領域）、１２１４，１２２４  凹部領域（第４凹部領域）、１４００，２４００  側壁領域、１４１０  支持領域、２２００  凹部壁領域、２３００  ゲル規制壁、２５００  仕切壁、ＡＰ１，ＡＰ２，ＡＰ３，ＡＰ４  腹部電極対、Ａ１１，Ａ２１  第１電極（腹部電極）、Ａ１２，Ａ２２  第２電極（腹部電極）、Ａ１３，Ａ２３  第３電極（腹部電極）、Ａ１４，Ａ２４  第４電極（腹部電極）、Ｆ１１，Ｆ２１  下肢電極、Ｈ１１，Ｈ２１  上肢電極。
【手続補正２８】
【補正対象書類名】図面
【補正対象項目名】図６
【補正方法】変更
【補正の内容】
【図６】
2012239517.tif 000001
【手続補正２９】
【補正対象書類名】図面
【補正対象項目名】図１２
【補正方法】変更
【補正の内容】
【図１２】
2012239517.tif 000002